(57)【特許請求の範囲】
【請求項１】
吸込口及び吹出口が形成された本体と、
前記本体内に配置され、前記吸込口から吸込まれた空気と熱交換する熱交換器と、
前記熱交換器において熱交換された空気を前記吹出口から吹出させる送風機と、
前記吹出口に上下回動自在に設置され、前記熱交換器により熱交換された空気を吹出す吹出し方向を上下方向に設定する上下風向板と、
前記上下風向板により設定された空気の吹出し方向に沿って投光し、左右方向に延びる線状の主レーザラインを照射する主レーザ装置と、を備える
空気調和機の室内機。
【請求項２】
前記主レーザ装置は、前記上下風向板に設置されるものである請求項１に記載の空気調和機の室内機。
【請求項３】
前記吹出口において前記本体と前記上下風向板とを連結する上下風向板支持部をさらに備え、
前記主レーザ装置は、前記上下風向板支持部に設置されるものである請求項１に記載の空気調和機の室内機。
【請求項４】
前記主レーザ装置は、前記上下風向板の長手方向に延びる回転軸を有し、前記回転軸を中心に回転されることにより投光する投光角度が上下方向に調整される請求項３に記載の空気調和機の室内機。
【請求項５】
前記主レーザ装置を、前記回転軸を中心に回転させるレーザ駆動装置と、
前記上下風向板の回動、前記送風機、及び前記レーザ駆動装置を制御する制御装置と、をさらに備え、
前記制御装置は、前記上下風向板の吹出し角度に基づいて投光角度を決定し、
前記レーザ駆動装置は、前記主レーザ装置を前記決定された投光角度に回転させる請求項４に記載の空気調和機の室内機。
【請求項６】
前記熱交換器の温度を測定する温度センサをさらに備え、
前記制御装置は、前記上下風向板の吹出し角度と、前記温度センサにより測定された温度とに基づいて投光角度を決定し、
前記レーザ駆動装置は、前記主レーザ装置を前記決定された投光角度に回転させて調整する請求項５に記載の空気調和機の室内機。
【請求項７】
前記制御装置は、冷房運転時には、前記上下風向板の吹出し角度より小さくなるよう投光角度を決定し、
前記レーザ駆動装置は、前記主レーザ装置を前記決定された投光角度に回転させて調整する請求項５又は６に記載の空気調和機の室内機。
【請求項８】
前記制御装置は、暖房運転時には、前記上下風向板の吹出し角度より大きくなるよう投光角度を決定し、
前記レーザ駆動装置は、前記主レーザ装置を前記決定された投光角度に回転させて調整する請求項５〜７のいずれか一項に記載の空気調和機の室内機。
【請求項９】
前記吹出口に左右回動自在に設置され、前記熱交換器により熱交換された空気を吹出す吹出し方向を左右方向に設定する複数の左右風向板と、
前記左右風向板に設置され、前記左右風向板により設定された吹出し方向に沿って投光し、上下方向に延びる線状の副レーザラインを照射する副レーザ装置と、を更に備える請求項１〜４のいずれか一項に記載の空気調和機の室内機。
【請求項１０】
吸込口及び吹出口が形成された本体と、
前記本体内に配置され、前記吸込口から吸込まれた空気と熱交換する熱交換器と、
前記熱交換器において熱交換された空気を前記吹出口から吹出させる送風機と、
前記吹出口に左右回動自在に設置され、前記熱交換器により熱交換された空気を吹出す吹出し方向を左右方向に設定する左右風向板と、
前記左右風向板により設定された空気の吹出し方向に沿って投光し、上下方向に延びる線状の副レーザラインを照射する副レーザ装置と、を備える
空気調和機の室内機。
【発明の詳細な説明】
【技術分野】
【０００１】
本発明は、風向板を備え、風向設定時に気流の方向を確認できる構成を備える空気調和機の室内機に関する。
【背景技術】
【０００２】
一般に空気調和機の室内機は、送風手段及び熱交換手段を収納しており、吸込口と、吹出口と、吹出口に回転自在に配置された風向板とを有している。従来、風向表示機能として、室内機の吹出口に短冊のシート又は案内翼などの構造物が取り付けられ、利用者にとって風向が確認され易いよう構成されたものがある。しかしこのような空気調和機の室内機においては、取り付けられた構造物の汚れや劣化により室内機の外観が損ねられる、また風向を確認できる範囲が室内機近傍に極端に限定される、という場合がある。【０００３】
空気調和機の室内機において、上記以外の風向表示手段として可視光線を利用したものがある（たとえば、特許文献１参照）。特許文献１には、可視光線が吹出気流の拡散領域を走査するよう投射されることで、利用者から風向が認知される範囲を広げる技術が開示されている。
【先行技術文献】
【特許文献】
【０００４】
【特許文献１】特公平６−７４９１６号公報
【発明の概要】
【発明が解決しようとする課題】
【０００５】
特許文献１の技術を用いて、床面や壁面のような被照射体にレーザ光を投光することができるが、一般的にレーザ光は被照射体に点としてしか表示されない。そのため、利用者が空気調和機の室内機の風向を調整しようとする際、日中のような明るい場所では点で表示されたレーザ光を見つけるのが困難な場合がある。例えば、店頭や展示会会場で空気調和機の機能が紹介される販売促進の場面では、会場は通行時の安全を確保するため一定以上の明るさになっていることが多い。その結果、特許文献１の風向表示手段が用いられたとしても、風向に関する仕様などが十分に観客に伝わらない場合がある。【０００６】
本発明は、上記のような課題を解決するためになされたもので、室内機から吹出される空気の到達位置が認識され易い空気調和機の室内機を提供することを目的とする。
【課題を解決するための手段】
【０００７】
本発明に係る空気調和機の室内機は、吸込口及び吹出口が形成された本体と、前記本体内に配置され、前記吸込口から吸込まれた空気と熱交換する熱交換器と、前記熱交換器において熱交換された空気を前記吹出口から吹出させる送風機と、前記吹出口に上下回動自在に設置され、前記熱交換器により熱交換された空気を吹出す吹出し方向を上下方向に設定する上下風向板と、前記上下風向板により設定された空気の吹出し方向に沿って投光し、左右方向に延びる線状の主レーザラインを照射する主レーザ装置と、を備えるものである。
【発明の効果】
【０００８】
本発明の空気調和機の室内機によれば、線状のレーザラインが床面又は壁面などに照射され、また空気の吹出し方向とともに移動するため、吹出された空気の到達位置を利用者が視覚的に認識しやすい。
【図面の簡単な説明】
【０００９】
【図１】本実施の形態１における室内機の斜視図である。
【図２】本実施の形態１における室内機の構造を示す断面図である。
【図３】本実施の形態１における主レーザラインの一例を示した模式図である。
【図４】本実施の形態１における副レーザラインの一例を示した模式図である。
【図５】本実施の形態１におけるレーザラインの組み合せの一例を示した模式図である。
【図６】本実施の形態１における主レーザ装置の設置例を示す模式図である。
【図７】本実施の形態１における調整された主レーザラインの一例を示した模式図である。
【図８】本実施の形態１における制御装置の機能ブロック図である。
【図９】本実施の形態１における風向調整時の制御を示すフローチャートである。
【発明を実施するための形態】
【００１０】
実施の形態１．
図１及び図２に基づいて、本実施の形態に係る室内機の構造について説明する。図１は、本実施の形態における室内機の斜視図である。図２は、本実施の形態における室内機の構造を示す断面図である。なお、図１の室内機は図示しない室外機に冷媒配管により接続され、冷媒回路を構成している。
【００１１】
室内機１０は、本体９と、本体９内に配置された熱交換器３と送風機４とを有し、空調対象空間に設置されている。本体９の上部には吸込口１が、下部には吹出口２が形成されており、本体９は吸込口１と吹出口２とをつなぐ風路を形成している。また室内機１０は、吹出口２に配置された風向調整機構と風向表示機構とを備えている。
【００１２】
熱交換器３は風路に設置され、例えばフィンアンドチューブ型の熱交換器から成る。熱交換器３は、平行に配列された複数のアルミフィンと、複数のアルミフィンを貫通して蛇行するよう挿設された配管とを備え、配管内の冷媒と、空気との間で熱交換するものである。送風機４は、例えばクロスフローファン等で構成され、空気を吸込口１から取り込み、熱交換器３を通過させて吹出口２から吹出させる。
【００１３】
風向調整機構は、室内機１０から空調対象空間である室内空間へ吹出される空気の、吹出し方向を調整するものである。風向調整機構は、上下風向板２１Ａ及び左右風向板２１Ｂなどの風向板２１と、風向板２１と本体９とを連結する上下風向板支持部２２及び左右風向板支持部２３などで構成される。
【００１４】
上下風向板２１Ａは、本体９に形成された吹出口２に、上下風向板支持部２２を介して上下回動自在に設置されている。上下風向板支持部２２にはモータ等が接続されており、モータにより上下風向板支持部２２が回転され、上下風向板２１Ａが上下に回動するよう構成されている。熱交換器３で熱交換した空気は、吹出口２側である上流側から室内空間側である下流側に向かい上下風向板２１Ａに沿って導かれる。そのため、上下風向板２１Ａの傾きが変わると、それに伴って室内空間へ吹出される空気の上下方向の吹出し方向が設定される。
【００１５】
左右風向板２１Ｂは、本体９に形成された吹出口２に、左右風向板支持部２３を介して左右回動自在に複数設置されている。また複数の左右風向板２１Ｂはそれぞれ連結棒に回動自在に接合されており、互いに連結されている。連結棒にはモータ等が接続されており、モータにより連結棒が左右に動かされると、複数の左右風向板２１Ｂは、互いに平行状態を維持したまま左右風向板支持部２３を軸に左右に回動される。熱交換器３で熱交換した空気は、上流側から下流側に向かい左右風向板２１Ｂに沿って導かれる。そのため、左右風向板２１Ｂの傾きが変わると、それに伴って室内空間へ吹出される空気の左右方向の吹出し方向が設定される。
【００１６】
風向表示機構は、風向調整機構で調整された空気の吹出し方向を利用者が視認し易いよう、空調対象空間の床面又は壁面等に線状のレーザラインを照射するものである。風向表示機構は、主レーザ装置３１及び副レーザ装置３２などのレーザ装置で構成される。
【００１７】
主レーザ装置３１及び副レーザ装置３２は、例えばラインレーザ等で構成される。主レーザ装置３１は上下風向板２１Ａの近傍に設置され、室内空間へ吹出された気流の上下方向の到達位置を示す。また、副レーザ装置３２は左右風向板２１Ｂの近傍に設置され、吹出された気流の左右方向の到達位置を示す。
【００１８】
ラインレーザは、光源から射出されるレーザ光をコリメートレンズ及び円柱状のロッドレンズ等に透過させることにより直線状に拡散された拡散光を投光できるものである。拡散光が壁面、天井、又は床面などの被照射体に投光されると、被照射体上に線状のレーザラインが照射される。なお、拡散光を生成するためのレンズは線状光線を取り出せるものであれば何でもよく、ロッドレンズに限定されない。レーザ光が拡散される方向はレーザ装置内のレンズの配置によって決まるため、主レーザ装置３１は、拡散光の拡散方向と上下風向板２１Ａの長手方向とが平行になるよう設置されるとよい。また副レーザ装置３２は拡散光の拡散方向と左右風向板２１Ｂの上下方向とが平行になるよう設置されるとよい。
【００１９】
図２において、主レーザ装置３１は上下風向板２１Ａに設置され、副レーザ装置３２は左右風向板２１Ｂに設置されている。このように構成された室内機１０において、運転中に送風機４のファンが回転すると、吸込口１より空気が吸い込まれ、熱交換器３で熱交換され、吹出口２から外部へ放出される。このとき上下風向板２１Ａの傾きが上向きに変更されると、熱交換器３で熱交換された空気の吹出し方向も上向きになる。また上下風向板２１Ａの傾きが下向きに変更されると、熱交換器３で熱交換された空気の吹出し方向も下向きになる。
【００２０】
主レーザ装置３１は、上下風向板２１Ａにより設定された空気の吹出し方向に沿って投光する。例えば主レーザ装置３１は、上下風向板２１Ａの上流側から下流側を結ぶ線の延長線に沿って、上下風向板２１Ａの長手方向と平行となる直線状の拡散光を投光する。このとき主レーザ装置３１は、室内機１０の正面において左右方向（矢印Ｘ方向）に延びる拡散光を投光する。
【００２１】
図３は、本実施の形態における主レーザラインの一例を示した模式図である。図３に示すように、床面には左右に延びる線状の主レーザライン３３が照射され、気流の到達位置が指し示される。破線は風向板２１によって吹出された空気の気流を示している。
【００２２】
同様に、運転中に左右風向板２１Ｂが連結棒により回動されて傾きが左向きに変更されると、熱交換器３で熱交換された空気の吹出し方向も左向きとなり、吹出された空気は室内機１０の左側へ供給される。また左右風向板２１Ｂの傾きが右向きに変更されると、熱交換器３で熱交換された空気の吹出し方向も右向きとなり、吹出された空気は室内機１０の右側へ供給される。
【００２３】
副レーザ装置３２は、左右風向板２１Ｂにより設定された空気の吹出し方向に沿って投光する。例えば副レーザ装置３２は、左右風向板２１Ｂの上流側から下流側を結ぶ線の延長線に沿って、左右風向板２１Ｂの上下方向と平行となる直線状の拡散光を投光する。このとき副レーザ装置３２は、室内機１０の正面において上下方向（矢印Ｚ方向）に延びる拡散光を投光する。
【００２４】
図４は、本実施の形態における副レーザラインの一例を示した模式図である。図４に示すように、床面には、室内機１０の正面において奥行き方向（矢印Ｙ方向）に延びる副レーザライン３４が照射され、気流の到達位置が指し示される。図４では、複数の左右風向板２１Ｂのうち、最も左側の左右風向板２１Ｂと最も右側の左右風向板２１Ｂとにそれぞれ副レーザ装置３２を設置した場合に照射される２本の副レーザライン３４が示されている。
【００２５】
図５は、本実施の形態におけるレーザラインの組み合せの一例を示した模式図である。風向表示機構は、主レーザ装置３１及び副レーザ装置３２によって床面に複数のレーザラインを組み合わせて照射することができる。そのため利用者はより具体的な気流の供給領域を認識することができる。
【００２６】
図６は、本実施の形態１における主レーザ装置の設置例を示す模式図である。図６に基づいて、主レーザ装置３１が上下風向板支持部２２に設置される場合の構成について説明する。上下風向板支持部２２は上下風向板２１Ａに係止されて設置されており、上下風向板２１Ａに連動する。また上下風向板支持部２２には主レーザ装置３１を保持する軸受２２ａが設けられている。
【００２７】
主レーザ装置３１は、上下風向板２１Ａの長手方向に延びる回転軸を有し、回転軸を中心に回転されることにより投光角度が上下方向に調整される。例えば主レーザ装置３１は、レーザ光源及びレンズ等を含み出射口が形成された主レーザ装置本体３１ａと、主レーザ装置３１を回転軸を中心に回転させるための回転調整部３１ｂとを備えている。主レーザ装置本体３１ａ及び回転調整部３１ｂは、例えば図６に示されるようにそれぞれが円柱形状を有しており、主レーザ装置本体３１ａと回転調整部３１ｂとはＬ字形状を成すよう接続されている。主レーザ装置３１は、回転調整部３１ｂが上下風向板２１Ａの長手方向に沿うように軸受２２ａに保持されることで、上下風向板支持部２２に設置される。
【００２８】
図６には、投光角度の調整方法を説明するため、主レーザ装置本体３１ａの円柱軸と回転調整部３１ｂの円柱軸との交点を原点ＯとしたＸ軸，Ｙ軸及びＺ軸から成る直交座標系が示されている。直交座標系のＸ軸は室内機１０の矢印Ｘ方向に、直交座標系のＹ軸は室内機の矢印Ｙ方向に、直交座標系のＺ軸は室内機１０の矢印Ｚ方向にそれぞれ対応している。この場合、回転軸は回転調整部３１ｂの円柱軸であり、Ｘ軸に沿って配置されている。図６には、原点Ｏを通り、上下風向板２１Ａの傾きと平行であり、かつ上下風向板２１Ａの上流側から下流側へ向く方向αが示されている。回転調整部３１ｂがＸ軸のまわりに回転方向Ａの方へ回転されると、例えば主レーザ装置本体３１ａの出射口の点Ｂは、原点Ｏを中心に図中の矢印で示す方向へ回転される。つまり、回転調整部３１ｂを図６に示される位置から時計回りに回転させると、原点Ｏを中心に主レーザ装置本体３１ａが元の方向αから上方へ傾く。そのため、回転調整部３１ｂを回転させることにより、上下風向板２１Ａに連動させた状態からさらに投光角度を調整することができる。回転調整部３１ｂは、調整された位置で軸受２２ａによって保持される。
【００２９】
図７は、本実施の形態１における調整された主レーザラインの一例を示した模式図である。図７の主レーザライン３３は、主レーザ装置３１の拡散光が、方向α、すなわち気流の下流側に向かい上下風向板２１Ａに平行となるよう投光されて、床面に照射されたものである。また、主レーザライン３３ａは、図６において回転調整部３１ｂが回転方向Ａの方へ回転された場合に、床面を室内機１０から離れる方へ移動したレーザラインを示している。
【００３０】
なお、主レーザ装置３１は軸受２２ａで保持されているので上下風向板２１Ａとの間に空隙を有し、そのため方向αよりも上方又は下方に向かって投光することができる構成となっている。回転調整部３１ｂが、図６に示される位置から回転方向Ａとは逆方向へ回転されると、拡散光は方向αより下方に向かって投光され、主レーザライン３３より室内機１０に近い床面の位置に主レーザライン３３ｂが照射される。
【００３１】
図８に基づいて、風向表示機構が自動制御される場合の構成について説明する。図８は、本実施の形態１における制御装置の機能ブロック図である。室内機１０はさらにレーザ駆動装置３８と制御装置５０とを備える。レーザ駆動装置３８は、例えば回転調整部３１ｂに接続する駆動軸と駆動軸を回転させるモータとを有し、主レーザ装置３１を、回転軸を中心に回転させるものである。レーザ駆動装置３８は例えば本体９に設置されている。室内機１０はさらに、熱交換器３に設置され、熱交換器の温度を測定する温度センサ７０を備えてもよく、またリモートコントロール等の操作部６０備えてもよい。温度センサ７０は、熱交換器３の配管等に設置されて配管内の冷媒温度を測定するものであってもよい。制御装置５０は例えばマイコン等で構成され、操作部６０を介して入力された操作指令、設定、及び温度センサ７０により測定された温度情報等に基づいて運転制御を行う。制御装置５０は、運転制御手段５１と風向表示制御手段５２と記憶手段５５とを有している。
【００３２】
運転制御手段５１は、操作部６０及び温度センサ７０等から送信された信号に応じて予め決められた制御を行う。例えば運転制御手段５１は、冷房、暖房、又は送風等の運転モードが操作部６０で選択された場合、選択された運転モードに応じた制御情報を記憶手段５５から取得し、制御情報に基づき送風機４の回転数、並びに、上下風向板２１Ａ及び左右風向板２１Ｂの傾きを調整する信号を、制御対象機器へ送信する。
【００３３】
風向表示制御手段５２は、運転制御手段５１から受信した設定、操作指令又は温度情報に応じて記憶手段５５に記憶された制御情報を取得し、主レーザ装置３１、レーザ駆動装置３８、及び副レーザ装置３２を制御する。具体的には、風向表示制御手段５２は、主レーザ装置３１及び副レーザ装置３２の電源をそれぞれＯＮ又はＯＦＦにし、レーザ駆動装置３８へ投光角度を調整するための駆動信号を送信する。
【００３４】
記憶手段５５は、例えば熱交換器３の温度又は運転モード等に対応づけられた送風機４、上下風向板２１Ａ、左右風向板２１Ｂ、主レーザ装置３１、副レーザ装置３２、及びレーザ駆動装置３８等の制御情報を記憶している。記憶手段５５は主レーザ装置３１の投光角度の補正値を記憶しており、補正値は、レーザ駆動装置３８を介した主レーザ装置３１の角度調整に使用される。
【００３５】
投光角度の補正値は、熱交換器３の温度に対応づけられて記憶されてもよいし、運転モードに対応付けられて記憶されてもよい。一般に、低温の気体は高温の気体よりも低い位置に滞留し、高温の気体は低温の気体よりも高い位置に滞留する性質がある。そのため室内機１０から吹出された空気の気流は、上下風向板２１Ａの傾きが同じであっても、低温の気体は下方へ流れ、高温の気体は上方へ流れるため、床面又は壁面において異なる位置に到達する。投光角度の補正値はこのような到達位置の違いによる主レーザライン３３の照射位置のずれを補正するためのものであり、主レーザ装置３１は補正値が適用された投光角度に調整されて、主レーザライン３３の照射位置が補正される。
【００３６】
投光角度の補正値として、冷房運転に対応する冷房時補正値θＣと暖房運転に対応する暖房時補正値θＨとが記憶手段５５に記憶されている場合について説明する。図７において実線矢印で示される上下風向板２１Ａの傾きを表す方向αと、点線で示されるＺ方向下向きの直線とが成す、上下方向の吹出し角度は、主レーザ装置３１に適用される投光角度θＬを決定する際の基準となるため、以降、基準角度θＰと称する。矢印Ｚ方向の真下に向かって空気が吹出される場合、基準角度θＰは０度となる。風向表示制御手段５２は、運転制御手段５１から基準角度θＰの情報を取得し、基準角度θＰに基づいて主レーザ装置３１に適用するための投光角度θＬを決定する。先述したように、吹出された空気の温度によって気流が異なるため、吹出された空気は冷房運転時には低い位置に供給され暖房運転時には高い位置に供給される。そのため風向表示制御手段５２は、冷房運転時には、基準角度θＰより小さくなるよう投光角度θＬを決定し、暖房運転時には、基準角度θＰより大きくなるよう投光角度を調整する。冷房時補正値θＣ及び暖房時補正値θＨは例えば１〜２度の角度であるが、実験等により求めてもよい。
【００３７】
なお、冷暖房時に供給される気流の温度は、熱交換器３内を循環する冷媒の状態又は送風機４の回転数により変化する。そのため、温度センサ７０により測定された温度情報などに基づき、主レーザ装置３１の照射方向を上下に調整するよう構成してもよい。熱交換器３の温度に基づき投光角度を調整する場合は、例えば熱交換器の温度と投光角度の補正値とが対応づけられた補正テーブルを記憶手段５５に記憶させておく。そして風向表示制御手段５２は、温度センサ７０により測定された温度に対応する補正値を補正テーブルから取得して、取得した補正値と基準角度θＰとに基づいて投光角度θＬを決定するよう構成されればよい。この場合、測定された熱交換器３の温度が低いほど投光角度が小さくなり、測定された熱交換器３の温度が高いほど投光角度が大きくよう決定されればよい。
【００３８】
図９は、本実施の形態１における風向調整時の制御を示すフローチャートである。図９の制御は、例えば操作部６０を介して風向調整の設定が行われるときに制御装置５０によって開始されるものである。図９では、冷房及び暖房等の運転モードに応じて投光角度が調整される場合について示されている。
【００３９】
運転制御手段５１は風向調整に関する操作指令を受信すると、操作指令とともに運転モード等を風向表示制御手段５２へ送信する。風向表示制御手段５２は、主レーザ装置３１及び２つの副レーザ装置３２のレーザ電源を投入する（ステップＳＴ１０１）。床面又は壁面には、図５に示すように主レーザライン３３及び２つの副レーザライン３４が照射される。次に風向表示制御手段５２は、受信した運転モードが暖房運転であるか冷房運転であるかを判断する（ステップＳＴ１０２）。風向表示制御手段５２によって暖房運転中であると判断された場合には（ステップＳＴ１０２；ＹＥＳ）、運転制御手段５１は、操作指令に基づき上下風向板２１Ａの上下方向の角度、及び複数の左右風向板２１Ｂの左右方向の角度を変更する（ステップＳＴ１０３）。次に風向表示制御手段５２は、上下風向板２１Ａに設定された角度すなわち基準角度θＰを運転制御手段５１より取得し（ステップＳＴ１０４）、記憶手段５５から、暖房に対応づけられた暖房時補正値θＨを取得する（ステップＳＴ１０５）。熱交換器３の温度に基づく投光角度の調整が行われる構成では、風向表示制御手段５２は、運転制御手段５１から温度センサ７０により測定された温度の温度情報を取得し、記憶手段５５の補正テーブルを参照して温度に応じた補正値を取得すればよい。
【００４０】
次に風向表示制御手段５２は、基準角度θＰに暖房時補正値θＨを加算して投光角度θＬを決定する（ステップＳＴ１０６）。風向表示制御手段５２は、主レーザ装置３１の投光角度が決定された投光角度θＬになるようレーザ駆動装置３８を制御する。つまり風向表示制御手段５２は主レーザ装置３１の投光角度を調整する（ステップＳＴ１０７）。床面に照射される主レーザライン３３の位置は補正され、図７の主レーザライン３３ａのように室内機１０から離れる方へ移動する。
【００４１】
また運転制御手段５１は、新たに風向設定に関する操作指令を受けたか否かを判断し（ステップＳＴ１０８）、操作指令を受けたと判断された場合は（ステップＳＴ１０８；ＹＥＳ）、再度ステップＳＴ１０３に戻って風向板２１の角度を変更する。続いて風向表示制御手段５２は、ステップＳＴ１０４からステップＳＴ１０７の処理を繰り返す。一方、風向設定に関する新たな操作指令がない場合には（ステップＳＴ１０８；ＮＯ）、運転制御手段５１は、経過時間が所定時間を越えたか否かを判断する（ステップＳＴ１０９）。経過時間が所定時間を越えていない場合には（ステップＳＴ１０９；ＮＯ）、運転制御手段５１は、再度ステップＳＴ１０５に戻り、風向表示制御手段５２によってステップＳＴ１０５からステップＳＴ１０７の処理が行われる。したがって、熱交換器３の温度に基づく投光角度の調整が行われる構成では、経時的に変化する温度に応じた補正値で投光角度が調整される。所定時間が経過するまで、運転制御手段５１又は風向表示制御手段５２によってステップＳＴ１０３からステップＳＴ１０９の処理が繰り返される。運転制御手段５１は、風向設定に関する新たな操作指令を受けずに所定時間が経過した場合（ステップＳＴ１０９；ＹＥＳ）、主レーザ装置３１及び副レーザ装置３２の双方への電源供給を終了する（ステップＳＴ１１０）。
【００４２】
一方、風向表示制御手段５２によって、暖房運転中ではなく（ステップＳＴ１０２；ＮＯ）冷房運転中であると判断された場合には（ステップＳＴ１１２；ＹＥＳ）、運転制御手段５１は、操作指令に基づき上下風向板２１Ａの上下方向の角度、及び複数の左右風向板２１Ｂの左右方向の角度を変更する（ステップＳＴ１１３）。次に風向表示制御手段５２は、上下風向板２１Ａに設定された角度すなわち基準角度θＰを運転制御手段５１より取得し（ステップＳＴ１１４）、記憶手段５５から、冷房に対応づけられた冷房時補正値θＣを取得する（ステップＳＴ１１５）。なお、熱交換器３の温度に基づく投光角度の調整が行われる構成では、風向表示制御手段５２は、ステップＳＴ１０５と同様に温度に応じた補正値を取得すればよい。
【００４３】
次に風向表示制御手段５２は、基準角度θＰから冷房時補正値θＣを減算して投光角度θＬを決定する（ステップＳＴ１１６）。風向表示制御手段５２は、主レーザ装置３１の投光角度が決定された投光角度θＬになるようレーザ駆動装置３８を制御する。つまり風向表示制御手段５２は主レーザ装置３１の投光角度を調整する（ステップＳＴ１１７）。床面に照射される主レーザライン３３の位置は補正されて、図７の主レーザライン３３ｂのように室内機１０に近づく方へ移動する。
【００４４】
運転制御手段５１は、操作部６０等を介して新たに風向設定に関する操作指令を受けたか否かを判断し（ステップＳＴ１１８）、操作指令を受けたと判断された場合は（ステップＳＴ１１８；ＹＥＳ）、再びステップＳＴ１１３に戻って風向板２１の角度を変更する。続いて風向表示制御手段５２は、ステップＳＴ１１４からステップＳＴ１１７の処理を繰り返す。運転制御手段５１は、冷房運転時においても暖房運転時と同様に、風向設定変更の有無の判断（ステップＳＴ１１８）、及び所定時間が経過したかの判断を行う（ステップＳＴ１１９）。ステップＳＴ１１８及びステップＳＴ１１９は、ステップＳＴ１０８及びステップＳＴ１０９にそれぞれ対応する。運転制御手段５１は、風向設定に関する新たな操作指令を受けずに所定時間が経過した場合は（ステップＳＴ１１９；ＹＥＳ）、主レーザ装置３１及び副レーザ装置３２の双方への電源供給を終了する（ステップＳＴ１１０）。
【００４５】
また、風向表示制御手段５２により暖房運転中でも冷房運転中でもないと判定された場合には（ステップＳＴ１１２；ＮＯ）、運転制御手段５１は、操作指令に基づき上下風向板２１Ａの上下方向の角度、及び複数の左右風向板２１Ｂの左右方向の角度を変更する（ステップＳＴ１２３）。次に風向表示制御手段５２は、上下風向板２１Ａに設定された角度すなわち基準角度θＰを、運転制御手段５１より取得し（ステップＳＴ１２４）、投光角度θＬを基準角度θＰと決定する（ステップＳＴ１２６）。風向表示制御手段５２は、主レーザ装置３１の投光角度が決定された投光角度θＬすなわち基準角度θＰとなるようレーザ駆動装置３８を制御する。つまり風向表示制御手段５２は主レーザ装置３１の投光角度を調整する（ステップＳＴ１２７）。主レーザ装置３１からの拡散光は上下風向板２１Ａの傾きと平行に投光され、床面又は壁面に主レーザライン３３として照射される。
【００４６】
運転制御手段５１は、操作部６０等を介して新たに風向設定に関する操作指令を受けたか否かを判断し（ステップＳＴ１２８）、操作指令を受けたと判断された場合は（ステップＳＴ１２８；ＹＥＳ）、再度ステップＳＴ１２３に戻って風向板２１の角度を変更する。続いて風向表示制御手段５２は、ステップＳＴ１２４からステップＳＴ１２７の処理を繰り返す。運転制御手段５１は暖房運転時と同様に、風向設定変更の有無の判断（ステップＳＴ１２８）、及び所定時間が経過したかの判断を行う（ステップＳＴ１２９）。ステップＳＴ１２８及びステップＳＴ１２９は、ステップＳＴ１０８及びステップＳＴ１０９にそれぞれ対応する。運転制御手段５１は、風向設定に関する新たな操作指令を受けずに所定時間が経過した場合は（ステップＳＴ１２９；ＹＥＳ）、主レーザ装置３１及び副レーザ装置３２の双方への電源供給を終了する（ステップＳＴ１１０）。
【００４７】
以上のように本実施の形態において空気調和機の室内機１０は、吸込口１及び吹出口２が形成された本体９と、本体９内に配置され、吸込口１から吸込まれた空気と熱交換する熱交換器３と、熱交換器３において熱交換された空気を吹出口２から吹出させる送風機４と、吹出口２に回動自在に設置され、熱交換器３により熱交換された空気を吹出す吹出し方向を設定する風向板２１と、風向板２１により設定された空気の吹出し方向に沿って投光し、線状のレーザラインを照射するレーザ装置と、を備えるものである。
【００４８】
これより、照射されたレーザラインによって、室内機１０から吹出される空気の到達位置が示される。したがって利用者は、風向板２１の向きと吹出された空気の到達位置との関係を視覚的に認識し易く、風向調整を行い易い。
【００４９】
また風向板２１は、吹出口２に上下回動自在に設置され、熱交換器３により熱交換された空気を吹出す吹出し方向を上下方向に設定する上下風向板２１Ａを含み、レーザ装置は、上下風向板２１Ａにより設定された吹出し方向に沿って投光し、左右方向に延びる線状の主レーザライン３３を照射する主レーザ装置３１を含むものであってもよい。
【００５０】
これより、上下風向板２１Ａの傾きが変更されると、上下方向に主レーザライン３３が移動する。主レーザライン３３は、上下の移動方向に対し左右方向に延びているので、従来のように点状のレーザ光が採用されたものに比べ、吹出された空気の到達位置が一度に広範囲に示される。その結果、室内機１０の外観は損なわれず、また室内機１０は販売促進などの場面において風向に関する仕様を観客に対し示すことができる。
【００５１】
また主レーザ装置３１は、上下風向板２１Ａに設置されるものであってもよい。これより、主レーザ装置３１は上下風向板２１Ａに連動するため、特別な駆動装置を必要とせず、吹出し方向へ主レーザライン３３が照射される。
【００５２】
また空気調和機の室内機１０は、吹出口２において本体９と上下風向板２１Ａとを連結する上下風向板支持部２２をさらに備え、主レーザ装置３１は、上下風向板支持部２２に設置されるものであってもよい。これより、上下風向板２１Ａは上下風向板支持部２２の回転にともない回動するので、主レーザ装置３１は上下風向板２１Ａに連動する。主レーザ装置３１は上下風向板２１Ａに直接設置される場合に比べ、駆動部分に近い位置に設置されるので、主レーザ装置３１の重みによる上下風向板２１Ａのたわみ又は振動等を抑えられる。
【００５３】
また主レーザ装置３１は、上下風向板２１Ａの長手方向に延びる回転軸を有し、回転軸を中心に回転されることにより投光角度が上下方向に調整されるものあってもよい。
【００５４】
これより主レーザ装置３１は、拡散光を吹出し方向に沿わせるだけでなく、上下方向に調整された投光角度で投光できる。そのため、上下風向板２１Ａなどの傾きと到達位置との間にギャップがある場合に、利用者は主レーザライン３３の照射位置を調整できる。
【００５５】
また空気調和機の室内機１０は、主レーザ装置３１を、回転軸を中心に回転させるレーザ駆動装置３８と、上下風向板２１Ａの回動、送風機４、及びレーザ駆動装置３８を制御する制御装置５０と、をさらに備え、制御装置５０は、上下風向板２１Ａの吹出し角度に基づいて投光角度θＬを決定し、レーザ駆動装置３８は、主レーザ装置３１を決定された投光角度θＬに回転させるものであってもよい。
【００５６】
これより、主レーザ装置３１の投光角度は自動的に調整される。また、投光角度θＬが絶対値として扱われる構成であれば、主レーザ装置３１は上下風向板２１Ａに連動する場所に設置される必要はなく、拡散光が遮られない場所に自由に設置されてもよい。
【００５７】
また熱交換器３の温度を測定する温度センサ７０をさらに備え、制御装置５０は、上下風向板２１Ａの吹出し角度と、温度センサ７０により測定された温度とに基づいて投光角度θＬを決定し、レーザ駆動装置３８は、主レーザ装置３１を決定された投光角度θＬに回転させて調整するものであってもよい。これより制御装置５０は、吹出される空気の温度による重さの違いが加味された到達位置を示すことができる。
【００５８】
また制御装置５０は、冷房運転時には、上下風向板２１Ａの吹出し角度より小さくなるよう投光角度θＬを決定し、レーザ駆動装置３８は、主レーザ装置３１を決定された投光角度θＬに回転させて調整するものであってもよい。これより、主レーザライン３３ｂは、吹出し方向の延長線と被照射体とが交わる位置より、室内機１０に近い位置に照射される。したがって、到達位置を表示する位置精度が向上する。
【００５９】
また制御装置５０は、暖房運転時には、上下風向板２１Ａの吹出し角度より大きくなるよう投光角度θＬを決定し、レーザ駆動装置３８は、主レーザ装置３１を決定された投光角度θＬに回転させて調整するものであってもよい。これより、主レーザライン３３ａは、吹出し方向の延長線と被照射体とが交わる位置より、室内機１０から離れた位置に照射される。したがって、到達位置を表示する位置精度が向上する。
【００６０】
また風向板２１は、吹出口２に左右回動自在に設置され、熱交換器３により熱交換された空気を吹出す吹出し方向を左右方向に設定する複数の左右風向板２１Ｂを含み、レーザ装置は、左右風向板２１Ｂに設置され、左右風向板２１Ｂにより設定された吹出し方向に沿って投光し、上下方向に延びる線状の副レーザライン３４を照射する副レーザ装置３２を含むものであってもよい。
【００６１】
これより副レーザ装置３２は、左右方向の空気の到達位置を指示すことができる。また主レーザ装置３１と副レーザ装置３２とを組み合わせて用いる場合、上下方向及び左右方向に延びる複数のレーザラインが照射されるので、室内機１０は、吹出された空気の到達範囲を利用者が視覚的に認識し易いよう示すことができる。
【００６２】
なお制御装置５０は、例えば図９に示す風向調整に関する操作指令を受けた場合の他に、空調運転が開始されるときに風向表示制御を実施してもよい。また、操作部６０は風向表示ボタンを備え、制御装置５０は、風向表示ボタンが押されたときに風向表示制御を実施してもよい。
【００６３】
なお、図９のように投光角度が制御装置５０により自動的に補正される構成であれば、投光角度θＬは絶対値として決定され調整されるので、主レーザ装置３１は上下風向板２１Ａに連動する場所に設置しなくてよい。主レーザ装置３１は、拡散光が遮られない場所に設置されればよい。
【００６４】
なお、本実施の形態では回転調整部３１ｂの形状は円柱形状であるものとして説明したが、主レーザ装置本体３１ａの上下方向の傾きを調整し易い形状であればよく、特にこの形状に限定されない。また、本実施の形態のように主レーザ装置３１がＬ字形状で構成される場合、回転調整部３１ｂに主レーザ装置本体３１ａの外周を保持する連結部を設けて接続すれば、主レーザ装置本体３１ａはＹ軸のまわりに回転でき、主レーザライン３３は２軸で校正できる。これより利用者は、例えば室内機１０の設置の際などに主レーザライン３３が左右に傾いている場合には、主レーザライン３３の線が空気の到達位置に合うよう調整できる。
【００６５】
さらに、レーザ装置はレーザラインの線長が変更できるものであって、空気の吹出し範囲に応じた線長のレーザラインが照射されるよう構成してもよい。
【符号の説明】
【００６６】
１  吸込口、２  吹出口、３  熱交換器、４  送風機、９  本体、１０  室内機、２１  風向板、２１Ａ  上下風向板、２１Ｂ  左右風向板、２２  上下風向板支持部、２２ａ  軸受、２３  左右風向板支持部、３１  主レーザ装置、３１ａ  主レーザ装置本体、３１ｂ  回転調整部、３２  副レーザ装置、３３，３３ａ，３３ｂ  主レーザライン、３４  副レーザライン、３８  レーザ駆動装置、５０  制御装置、５１  運転制御手段、５２  風向表示制御手段、５５  記憶手段、６０  操作部、７０  温度センサ、θＨ  暖房時補正値、θＣ  冷房時補正値、θＰ  基準角度（吹出し角度）、θＬ  投光角度。
【図１】
0006599000.tif 000002
【図２】
0006599000.tif 000003
【図３】
0006599000.tif 000004
【図４】
0006599000.tif 000005
【図５】
0006599000.tif 000006
【図６】
0006599000.tif 000007
【図７】
0006599000.tif 000008
【図８】
0006599000.tif 000009
【図９】
0006599000.tif 000010